(57)【要約】【課題】セロハンテープ等の接着手段を用いることなく迅速に開口部を閉じることが可能で、突片を真結びで結んだ場合と比較して閉じた開口部を容易に開くこともできるレジ袋等を提供する。【解決手段】合成樹脂フィルムからなり上方に開口した開口部21を有するレジ袋１であって、開口縁部210の対向位置に一対の縦長状突片231,232を延設し、これら一対の縦長状突片231,232それぞれの幅方向中央部でかつ長手方向下部に縦長の貫通孔241,242をそれぞれ設けてなり、一方の縦長状突片232を他方の縦長状突片231の貫通孔241に根元まで貫通し、根元まで貫通した一方の縦長状突片232の貫通孔242に、貫通された他方の縦長状突片231を貫通することにより、開口部21を閉じるように構成されているレジ袋１とした。【選択図】図１
2007238136.tif 000002
【特許請求の範囲】
【請求項１】
合成樹脂フィルムからなり上方に開口した開口部を有するポリ袋であって、
開口縁部の対向位置に一対の縦長状突片を延設し、これら一対の縦長状突片それぞれの幅方向中央部でかつ長手方向下部に縦長の貫通孔をそれぞれ開けて貫通孔の左右に棹部を設けてなり、
一方の縦長状突片を他方の縦長状突片の貫通孔に根元まで貫通し、根元まで貫通した一方の縦長状突片の貫通孔に、貫通された他方の縦長状突片を貫通することにより、
一方の縦長状突片の左右の棹部と他方の縦長状突片の左右の棹部とをお互いに交差させて一対の縦長状突片同士を絡み合わせることで開口部を閉じるように構成したポリ袋。
【請求項２】
縦長状突片の貫通孔周縁部を着色した印刷皮膜で補強した請求項１記載のポリ袋。
【請求項３】
印刷皮膜がゴム系樹脂を主成分とする請求項２記載のポリ袋。
【請求項４】
合成樹脂フィルムは、再生したポリエチレンテレフタレート樹脂フィルムである請求項２又は３記載のポリ袋。
【請求項５】
貫通孔は上端及び下端が円弧状である請求項１〜４のいずれか記載のポリ袋。
【請求項６】
貫通孔は楕円形状である請求項１〜４のいずれか記載のポリ袋。
【請求項７】
請求項１〜６のいずれか記載のポリ袋の開口部を閉じる方法であって、
一方の縦長状突片を他方の縦長状突片の貫通孔に根元まで貫通し、根元まで貫通した一方の縦長状突片の貫通孔に、貫通された他方の縦長状突片を貫通することにより、
一方の縦長状突片の左右の棹部と他方の縦長状突片の左右の棹部とをお互いに交差させて一対の縦長状突片同士を絡み合わせることでポリ袋の開口部を閉じる方法。
【発明の詳細な説明】
【技術分野】
【０００１】
本発明は、業務用および家庭用のゴミ袋やスーパー等で買物客に提供されるレジ袋等のいわゆるポリ袋に関する。また、このポリ袋の開口部を閉じる方法に関する。
【背景技術】
【０００２】
従来のゴミ袋やレジ袋等のポリ袋には、開口縁部の対向位置に一対の突片が延設されているものがある。この一対の突片は、互いに結び合わせることで開口部を閉じ、ポリ袋内部の収容物が外部に落ちないようにすることを目的としている。この様なポリ袋は、下記特許文献１や特許文献２に開示されている。
【０００３】
特許文献１には、「２枚のフィルムを合わせて一方を開口して袋状にし、開口側両側に提手を設け、両提手間に突片を設けた買い物用ポリ袋に於て、上記突片の２枚のフィルムと同じ箇所のかなり上方左右まん中に、男女合わせて平均化した親指の指頭の大きさのほぼ半分位の径の孔部を設けた買い物用ポリ袋」が開示されている。そして、これによって「買い物用ポリ袋を容易に開けることができ、内容物を収納するときに手間と時間をとらない」と記載されている。
【０００４】
一方、特許文献２には、「ゴミ袋の開口部に山形を設け、山形の中央に持ち手用の穴を設けた結びしろ付手提げゴミ袋」が開示されている。そして、これによって「袋に、結びしろがあるので結束する際に余分な力がいらず、手提げ部分兼結びしろである山形と山形を結ぶだけでしっかり結束でき、袋の破損もなくなり、内容物の散乱もなくなった。また、結びしろが運搬の際、そのまま持ち手にもなるため運搬が容易になった。コストについても、何度も接着の必要がないため実施が容易である。」と記載されている。
【０００５】
【特許文献１】実開平６−１０１４７号公報
【特許文献２】特開２００２−３７４０１号公報
【発明の開示】
【発明が解決しようとする課題】
【０００６】
しかし、上記従来のポリ袋では、例えばレジ袋として使用すると、突片を結び合わせる際に時間がかかり、スーパー等に設けられている商品包装台での混雑を招く場合があった。また、一旦、突片を真結びで結び合わせると、商品を取り出したり追加投入する場合等に結び目を解きにくかった。いわゆる蝶々結びをすれば良いとも思えるが、結び合わせにより一層の時間がかかるばかりか、物理的に困難な場合もあり現実的ではない。
【０００７】
これらの事情に鑑み、通常はスーパー側が商品包装台にセロハンテープを用意し、消費者はこれを用いて突片同士等を接着してレジ袋の開口部を閉じている。しかし、セロハンテープの使用は資源の有効活用の観点等から好ましくない。また、セロハンテープの設置位置から離れた位置で包装作業をすることになった場合等は、開口部を閉じる作業に手間取る。
【０００８】
本発明は上記課題を解決するものであり、セロハンテープ等の接着手段を用いることなく、迅速に開口部を閉じることができ、また、突片を真結びで結んだ場合と比較して、閉じた開口部を容易に開くことが可能なポリ袋を提供するものである。さらに、このような特徴を有したポリ袋の開口部を閉じる方法を提供するものである。
【課題を解決するための手段】
【０００９】
上記課題を解決するために本発明のポリ袋は、開口縁部の対向位置に一対の縦長状突片を延設し、これら一対の縦長状突片それぞれの幅方向中央部でかつ長手方向下部に縦長の貫通孔をそれぞれ開けて貫通孔の左右に棹部を設けたポリ袋とし、一方の縦長状突片を他方の縦長状突片の貫通孔に根元まで貫通し、根元まで貫通した一方の縦長状突片の貫通孔に、貫通された他方の縦長状突片を貫通することにより、一方の縦長状突片の左右の棹部と他方の縦長状突片の左右の棹部とをお互いに交差させて一対の縦長状突片同士を絡み合わせることで開口部を閉じるのである。
【００１０】
ここで、「ポリ袋」とは、塩化ビニル、ポリエチレン、ポリエステル等のようなポリマーから成る薄膜を用いた袋をいう。また、「開口部を閉じる」とは、ポリ袋の開口部を完全に閉じるという意味ではなく、ゴミ袋内部のごみやレジ袋内部の商品が外部に落ちない程度に開口部を閉じることをいう。
【００１１】
本願発明者は、前述した課題を解決するために鋭意研究開発を重ねた。その結果本発明に到達したのである。上記構成のポリ袋とすることで、セロハンテープ等の接着手段を用いることなく開口部を閉じることができる。また、突片を真結びで結ぶことなく開口部を閉じることができ、一旦閉じた開口部を比較的容易に開くこともできる。時間のかかる蝶々結びで突片を結ぶ必要もない。さらに、貫通孔を縦長とすることで、貫通孔の左右に形成された棹部が太くなって引っ張り強度が増加し、開口部を閉じた際の強度を増すことができる。また、相手側の縦長状突片を貫通させ易くなり、迅速に開口部を閉じることもできる。ここで、貫通孔を横長とすると、相手側の縦長状突片を貫通させ易くはなるものの、棹部が細くなって引っ張り強度が著しく低下するため採用できない。貫通孔を縦長とするのは、言い換えれば、開口部を閉じた際の強度を確保しつつ、相手側の縦長状突片を貫通させ易くするためである。加えて、貫通孔を縦長状突片の長手方向下部に設けたことにより、対向する開口縁部を近接させた状態、即ち開口面積がより少ない状態で、開口部を閉じることができる。さらに加えて、貫通孔を縦長状突片の幅方向中央部に設けたことにより、左右の棹部を均一の太さにでき、開口部を閉じた際の強度を確保することができる。
【００１２】
これらのメリットは、延設した突片が縦長状であることを前提として享受することができる。開口部を閉じる際の作業性等を考慮すると、突片にはある程度の長さが要求される。すると、突片が横長の場合は幅広となり、これを迅速に貫通孔に貫通させることが困難になるのである。
【００１３】
このとき、縦長状突片の貫通孔周縁部を着色した印刷皮膜で補強したポリ袋とすることが好ましい。
【００１４】
開口部を閉じたり開いたりする作業を繰り返すと、貫通孔を開けた部分から縦長状突片が破れて、開口部を閉じることができなくなることが考えられる。上記構成とすることで、縦長状突片を破れにくくすることができ、繰り返し使用に耐える丈夫なポリ袋となる。また、開口部を閉じた際の強度をより一層増すこともできる。さらに、この印刷皮膜が着色されていることにより、貫通孔の視認性が高まって相手側の縦長状突片を貫通させ易くなり、より迅速に開口部を閉じることもできる。
【００１５】
このとき、印刷皮膜がゴム系樹脂を主成分とするポリ袋とすることが好ましい。これにより、後述するように、交差した棹部同士の摩擦を増加させ、突片同士の絡み合いをより外れにくくすることができる。
【００１６】
このとき、合成樹脂フィルムは、再生ポリエチレンテレフタレート樹脂フィルムを使用することが好ましい。
【００１７】
これにより、資源を有効活用した環境に優しいポリ袋となる。また、一般的にポリエチレンテレフタレート樹脂フィルムは印刷インキの密着性が充分でない場合がある。しかし、再生したものは印刷インキの接着性が比較的良好で、貫通孔の周縁部を補強する印刷皮膜の密着性を充分確保できる。ここで、「再生ポリエチレンテレフタレート樹脂」とは、廃ペットボトル等を原料として作られた、いわゆる再生ペット樹脂のことである。
【００１８】
貫通孔は上端及び下端を円弧状とすることが好ましく、また、楕円形状とすることも好ましい。ここで、上端及び下端が円弧状の貫通孔とは、上端及び下端をそれぞれ上下方向に向けて円弧状としたものであり、楕円形状の貫通穴もこれに含まれる。
【００１９】
繰り返し使用における縦長状突片の破れについては、上記構成とすることで、貫通孔からの破れをより生じにくくすることができる。また、開口部を閉じた際の強度をより増すこともできる。
【発明の効果】
【００２０】
本発明により、セロハンテープ等の接着手段を用いることなく、迅速に開口部を閉じることができ、突片を真結びで結んだ場合と比較して、閉じた開口部を容易に開くことが可能なポリ袋を提供することができる。また、これらの特徴を有するポリ袋の、開口部を閉じる方法を提供することができる。
【発明を実施するための最良の形態】
【００２１】
以下、図を用いて、本発明の実施形態を例示説明する。図１は本発明のポリ袋の第一実施形態を例示したレジ袋の斜視図であり、図２〜図８は図１のレジ袋の開口部を閉じる方法を説明するための図である。また、図９は図１のレジ袋の開口部が閉じた状態における縦長状突片同士の絡み合いを示す要部拡大図であり、図10は縦長状突片同士が絡み合って開口部が閉じるメカニズムを説明するための要部拡大図である。一方、図11は本発明のポリ袋の第二実施形態を例示したゴミ袋の平面図である。まず、図１を用いて、本発明の第一実施形態について例示説明する。
【００２２】
［第一実施形態］
図１のレジ袋は、インフレーション法により円筒状に形成した再生ポリエステルフィルム２をベースとする。まず、円筒状の再生ポリエステルフィルム２の左右両端を内側に陥没させるようにそれぞれ折曲げ、この状態で上端及び下端202を溶着する。そして、上端側を逆凹形状にトリミングして、開口縁部210、左右の手提げ部221,222、中央部の縦長状突片231,232を形成する。ここで、左右の手提げ部221,222の上端部201はトリミングされておらず、再生ポリエステルフィルム２の上端を溶着した部分が残存している。なお、中央部の縦長状突片231,232は開口縁部210の対向位置に一対存在することになる。さらに、縦長状突片231,232の幅方向中央部でかつ長手方向下部に、楕円形状で縦長の貫通孔241,242を設ける。この貫通孔241,242は、少なくとも、相対する相手側の縦長状突片232,231が長手方向に沿って曲折変形した状態で根元まで貫通できる程度の大きさに設ける。これによって、貫通孔241の左右には棹部251a,251bが、貫通孔242の左右には棹部252a,252bが形成される。最後に、必要に応じて表面に文字や図形等を印刷して例示のレジ袋１が完成する。
【００２３】
次に、図２〜図10を用いて、上記レジ袋１の開口部を閉じる方法等について例示説明する。図２〜図８は図１のレジ袋の開口部を閉じる方法を説明するための図であって、図２は内部に商品等の収容物９を収容した状態のレジ袋１を示す図、図３〜図５は一方の縦長状突片232を他方の縦長状突片231の貫通孔241に根元まで貫通する手順を示す図、図６〜図８は根元まで貫通した一方の縦長状突片232の貫通孔242に、貫通された他方の縦長状突片231を貫通する手順を示す図である。また、図９はこれらの手順を経て開口部が閉じた状態における縦長状突片231,232同士の絡み合いを示す要部拡大図であり、図10は縦長状突片231,232同士が絡み合って開口部が閉じるメカニズムを説明するための要部拡大図である。なお、説明の都合上、図２〜図10において、縦長状突片231,232の周縁部と貫通孔241,242の周縁部を黒く縁取って表示している。また、図１において上方に伸びた状態で表示されている手提げ部221,222は、図２〜図10においては倒れた状態である。
【００２４】
まず、図２の状態から、図３に示す様に、図中右側の一方の縦長状突片232を長手方向に沿って略中央部から二つに折曲げる。折曲げた縦長状突片232を、図中左側の縦長状突片231の内側面から貫通孔241に貫通し図４の状態とする。この状態から、貫通した縦長状突片232を引っ張り出して、その根元まで貫通孔241に貫通する（図５参照）。こうすることで、貫通した縦長状突片232の貫通孔242が、貫通された縦長状突片231の外側面方向に引っ張り出される。この状態からさらに、図６に示す様に、根元まで貫通した一方の縦長状突片232の貫通孔242を広げ、貫通された他方の縦長状突片231を長手方向略中央部から二つに折曲げて、縦長状突片232の外側面から貫通孔242に貫通し、図７に示す様に、貫通した縦長状突片231を引っ張り出す。最後に、図８に示す様に、縦長状突片231,232それぞれの先端部（頭部）を左右に引っ張るのである。これらの手順を踏むことで、縦長状突片231,232同士が絡み合い、開口部を閉じることができる。これら一連の手順は、縦長状突片231,232同士を真結びや蝶々結びで結び合わせる場合と比較して、迅速に行うことができた。
【００２５】
このようにして絡み合った縦長状突片231,232同士は、図９に示す様に、縦長状突片231,232それぞれの根元を左右に引っ張っても容易に外れなかった。これは、図10に示す様に、縦長状突片231の左右の棹部251a,251bと縦長状突片232の左右の棹部252a,252bとが、お互いに交差して縦長状突片231,232同士が絡み合っていることによる。この絡み合いが外れにくいのは主に以下の理由による。すなわち、縦長状突片231の先端部（頭部）には貫通孔241が開いておらず、棹部251a,251bより断面積が大きく（即ち太く）なっているため、縦長状突片231,232同士が絡み合った図９の状態から、それらの根元を左右に引っ張っても、（以下図10参照）縦長状突片231の、棹部252a,252bと頭部との境界部分が、貫通孔242の上端部に引っかかって、引っ張りに対する抵抗力が強くなるからである。
【００２６】
また、以上より、縦長状突片231,232同士は、それぞれの根元を左右に引っ張った場合、貫通孔241,242の上端部付近で絡み合うことがわかる。よって、貫通孔241,242を縦長状突片231,232の長手方向下部に設けることで、対向する開口縁部を近接させた状態で開口部を閉じることができるのである。
【００２７】
閉じた開口部を開くため、縦長状突片231,232同士の絡み合いを解く場合には、縦長状突片231,232のそれぞれの頭部を左右に引っ張れば絡み合いが緩んで解き易くなり（図９→図10の様な状態）、比較的容易に閉じた開口部を開くことができるようになる。
【００２８】
上記第一実施形態のレジ袋１において、左右に手提げ部221,222（図１参照）を設けたが、これに限定されず、手提げ部221,222を設けなくてもよい。しかし、商品の持ち運びを考慮すると手提げ部221,222を設けることが好ましい。また、縦長状突片231,232に開口した貫通孔241,242は楕円形状としたが、これに限定されず、例えば長方形状でもよい。しかし、貫通孔241,242の強度を考慮すると、楕円形状が好ましい。なお、本第一実施形態はレジ袋としての例示であるが、ゴミ袋の場合も同様の構成及び方法を適用可能である。
【００２９】
［第二実施形態］
最後に、本発明の第二実施形態を例示説明する。図11は、本発明のポリ袋の第二実施形態を例示したゴミ袋５の平面図である。本実施形態では、縦長状突片231(232)の貫通孔周縁部が、着色皮膜６で補強されている。この着色皮膜６は、クロロプレンゴムを主成分としたバインダーに青色着色顔料であるフタロシアニンブルーを均一分散させ、これを有機溶剤で粘度調整したペーストをスクリーン印刷し、乾燥することで形成した。
【００３０】
上記構成とすることで、貫通孔241(242)の視認性が向上し、より迅速に開口部を閉じることができた。また、開口部を閉じた際、交差した棹部同士（図10参照）の摩擦を増加させ、突片同士の絡み合いをより外れにくくすることができた。一方、ゴミ袋やレジ袋には、デザイン文字等が印刷されていることが多い。本実施形態では、このペーストでゴミ袋５のデザイン文字11も同時に印刷した。そのため、印刷工数は増加していない。縦長状突片231(232)の貫通孔周縁部をまんべんなく着色皮膜６で補強するため、貫通孔241(242)の抜き加工は印刷後に行うことが好ましい。
【００３１】
着色皮膜６はクロロプレンゴムを主成分としたがこれに限定されず、その他のゴム系樹脂を主成分として用いることができる。ゴム系樹脂の含有量は印刷皮膜の状態で50重量％を超えることが好ましく、より好ましくは55〜90重量％である。また、着色顔料としてフタロシアニンブルーを用いたがこれに限定されず、ゴミ袋５本体との関係において視認性が向上する色彩の顔料であればよい。なお、本第二実施形態はゴミ袋としての例示であるが、レジ袋の場合も同様の構成が適用可能である。
【００３２】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【図面の簡単な説明】
【００３３】
【図１】本発明のポリ袋の第一実施形態を例示したレジ袋の斜視図である。
【図２】図１のレジ袋の開口部を閉じる方法を説明するための図である。
【図３】図１のレジ袋の開口部を閉じる方法を説明するための図である。
【図４】図１のレジ袋の開口部を閉じる方法を説明するための図である。
【図５】図１のレジ袋の開口部を閉じる方法を説明するための図である。
【図６】図１のレジ袋の開口部を閉じる方法を説明するための図である。
【図７】図１のレジ袋の開口部を閉じる方法を説明するための図である。
【図８】図１のレジ袋の開口部を閉じる方法を説明するための図である。
【図９】図１のレジ袋の開口部が閉じた状態における縦長状突片同士の絡み合いを示す要部拡大図である。
【図１０】縦長状突片同士が絡み合って開口部が閉じるメカニズムを説明するための要部拡大図である。
【図１１】本発明のポリ袋の第二実施形態を例示したゴミ袋の平面図である。
【符号の説明】
【００３４】
１           レジ袋
２           ポリエステルフィルム
21         開口部
210        開口縁部
231,232    縦長状突片
241,242    貫通孔
251a,251b  棹部
252a,252b  棹部
５           ゴミ袋
６           着色皮膜
９           収容物
【図１】
2007238136.tif 000003
【図１１】
2007238136.tif 000004
【図２】
2007238136.tif 000005
【図３】
2007238136.tif 000006
【図４】
2007238136.tif 000007
【図５】
2007238136.tif 000008
【図６】
2007238136.tif 000009
【図７】
2007238136.tif 000010
【図８】
2007238136.tif 000011
【図９】
2007238136.tif 000012
【図１０】
2007238136.tif 000013